(57)【要約】      （修正有）【課題】ピストン及びウエイトの往復動作の連動リズムが一致し、銃撃音が大きく明快な玩具銃のリコイル伝達構造を提供する。【解決手段】玩具銃のリコイル伝達構造は、玩具銃のピストン５後方のケース１の後端に配置され、ピストン５が行う往復運動の移動軸線Ｉ上に位置し、ピストン５とケース１との間にピストンスプリング５１が配置され、案内ロッド６２、ウエイト６１及びリコイルスプリング６３を備える。リコイルスプリング６３は、ウエイト６１と玩具銃１００のケース１の後壁との間に配置されている。案内ロッド６２は、ケース１のストッパ１３に貫設され、ピストン５とウエイト６１との間に介在し、ウエイト６１と分離している。案内ロッド６２は伸縮案内ロッドである。伸縮案内ロッドは、緩衝ロッド６２１、緩衝ロッドスプリング及び伝動ロッド６２３を有する。【選択図】図１
2012122702.tif 000002
【特許請求の範囲】
【請求項１】
玩具銃のピストン後方のケースの後端に配置され、前記ピストンが行う往復運動の移動軸線上に位置し、前記ピストンと前記ケースとの間にピストンスプリングが配置され、案内ロッド、ウエイト及びリコイルスプリングを備え、
前記リコイルスプリングは、前記ウエイトと玩具銃の前記ケースの後壁との間に配置され、
前記案内ロッドは、前記ケースのストッパに貫設され、前記ピストンと前記ウエイトとの間に介在し、前記ウエイトと分離していることを特徴とする玩具銃のリコイル伝達構造。
【請求項２】
前記案内ロッドは伸縮案内ロッドであることを特徴とする請求項１に記載の玩具銃のリコイル伝達構造。
【請求項３】
前記伸縮案内ロッドは、緩衝ロッド、緩衝ロッドスプリング及び伝動ロッドを有し、前記緩衝ロッドは、前記伝動ロッドに摺動可能に接続され、前記緩衝ロッドスプリングにより弾力を有することを特徴とする請求項２に記載の玩具銃のリコイル伝達構造。
【請求項４】
前記緩衝ロッドスプリングは、前記伝動ロッドの中空部に収納され、前記緩衝ロッドの一端は、前記伝動ロッドの前記中空部内に延伸し、前記緩衝ロッドスプリングの一端に当接することを特徴とする請求項３に記載の玩具銃のリコイル伝達構造。
【発明の詳細な説明】
【技術分野】
【０００１】
本発明は、玩具銃構造に関し、特に、玩具銃の内部に配置されるリコイル伝達構造に関する。
【背景技術】
【０００２】
玩具銃（ＢＢ弾とも称する）は、広く人々に愛好されている。従来の玩具銃は、玩具内部に伝動ユニット、引き金ユニット、弾丸押し出しユニットなどの部材が配置され、小さな弾丸を発射する機能しかなく、リアル感及び臨場感に欠ける。メーカは、実銃と同じようなリアル感を追求するために、弾丸が発射される瞬間に反作用力を生成し、リコイルショック（ブロウバックの反動）の効果を生み出すリコイル生成構造を銃内部に配置した。
【０００３】
従来のリコイル生成構造は、一般に、玩具銃のケースの内部空間にピストン、ピストンスプリング、案内ロッド、ウエイト、リコイルスプリングなどの部材が装着されている。リコイルスプリングは、ウエイトと、玩具銃のケースの肩当て部内に位置する後壁との間に配置されている。案内ロッドは、ケースのストッパに貫設され、ピストンとウエイトとの間に介在する。全ての従来のリコイル生成構造では、案内ロッドとウエイトとが実体的に接続され連動する。
【０００４】
従来の玩具銃のリコイル生成構造は、以下（１）〜（３）の問題点を有する。
（１）ピストン及びウエイトの往復動作の連動リズムが一致しない（例えば、ウエイトが前に運動し、ピストンが後ろに運動する）とき、案内ロッドとウエイトとの間の実体的な接続により、ギヤセット及びピストンが損壊される虞がある。
（２）銃撃音の大きさや明快さが足りない。
（３）肩当て部の内部にストッパ板を配置し、前に押し出されるウエイトを止める必要があるが、これにより、部品が損壊される虞がある。また、ストッパ板が配置されるため、ウエイトが最大行程で運動することができない。
【発明の概要】
【発明が解決しようとする課題】
【０００５】
本発明の第１の目的は、従来の問題点を解決する玩具銃のリコイル伝達構造を提供することにある。
本発明の第２の目的は、伸縮案内ロッドを有する玩具銃のリコイル伝達構造を提供することにある。
本発明の第３の目的は、案内ロッド及びウエイトが分離している玩具銃のリコイル伝達構造を提供することにある。
【課題を解決するための手段】
【０００６】
上記課題を解決するために、請求項１の発明では、玩具銃のピストン後方のケースの後端に配置され、前記ピストンが行う往復運動の移動軸線上に位置し、前記ピストンと前記ケースとの間にピストンスプリングが配置され、案内ロッド、ウエイト及びリコイルスプリングを備え、前記リコイルスプリングは、前記ウエイトと玩具銃の前記ケースの後壁との間に配置され、前記案内ロッドは、前記ケースのストッパに貫設され、前記ピストンと前記ウエイトとの間に介在し、前記ウエイトと分離していることを特徴とする。
【０００７】
請求項２の発明では、前記案内ロッドは伸縮案内ロッドであることを特徴とする。
【０００８】
請求項３の発明では、前記伸縮案内ロッドは、緩衝ロッド、緩衝ロッドスプリング及び伝動ロッドを有し、前記緩衝ロッドは、前記伝動ロッドに摺動可能に接続され、前記緩衝ロッドスプリングにより弾力を有することを特徴とする。
【０００９】
請求項４の発明では、前記緩衝ロッドスプリングは、前記伝動ロッドの中空部に収納され、前記緩衝ロッドの一端は、前記伝動ロッドの前記中空部内に延伸し、前記緩衝ロッドスプリングの一端に当接することを特徴とする。
【発明の効果】
【００１０】
本発明の玩具銃のリコイル伝達構造は、以下（１）〜（６）の効果を有する。
（１）ピストン及びウエイトの往復動作の連動リズムが一致しないとき、伸縮案内ロッド内の緩衝ロッドスプリングがウエイトから来る運動エネルギの一部を吸収することにより、緩衝ロッドの前端が直接ピストンにぶつかり損壊するのを防ぐことができる。
（２）伸縮案内ロッドとウエイトとは実体的に接続せず分離しているため、リコイルショックの運動エネルギを巧妙に伝達し、伝達されない動作を部分的に吸収することができる。
（３）伸縮案内ロッドがウエイトにぶつかるとき、はっきりした金属衝突音が発生し、極めて好ましいリアル感が生まれる。また、ウエイトが前に移動し、銃身の金属の尾端（即ちケースのストッパ）にぶつかるとき発生する衝突音が大きく明快である。
（４）従来の構造では、肩当て部内に配置されるストッパ板により、前に押し出るウエイトを止める必要があるが、これにより、部品が損壊される虞がある。しかし、本発明は、ストッパ板を配置する必要がなく、構造が簡易である。また、ウエイトは、前に移動するとき、銃身の金属の尾端にぶつかり停止するため、最大行程で運動することができる。
（５）伸縮案内ロッドは、２段以上の部材構造であり、内部に緩衝ロッドスプリングが配置されているため、好ましい緩衝機能を有し、ピストンとウエイトとの間に適度な距離を保つことができる。
（６）従来の構造では、ピストンが逆方向に運動するとき及び後ろ向きに運動するとき、ギヤセット及びピストンが損壊される虞があるが、本発明の伸縮案内ロッドは、緩衝機能を有するため、このような問題が発生しない。
【図面の簡単な説明】
【００１１】
【図１】本発明の第１実施形態によるリコイル伝達構造の玩具銃のピストンが前に移動するときの状態を示す断面図である。
【図２】本発明の第１実施形態によるリコイル伝達構造を玩具銃のピストンが後ろに移動するときの状態を示す断面図である。
【図３】本発明の第１実施形態によるリコイル伝達構造の玩具銃のピストンが前に移動し、弾丸が発射されるときの状態を示す斜視図である。
【図４】本発明の一実施形態によるリコイル伝達構造の伸縮案内ロッドの断面図である。
【図５】本発明の第２実施形態によるリコイル伝達構造を示す断面図である。
【図６】本発明の第３実施形態によるリコイル伝達構造を示す断面図である。
【図７】本発明の第４実施形態によるリコイル伝達構造を示す断面図である。
【図８】本発明の第５実施形態によるリコイル伝達構造を示す断面図である。
【図９】本発明の第６実施形態によるリコイル伝達構造を示す断面図である。
【発明を実施するための形態】
【００１２】
以下、本発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
（第１実施形態）
図１を参照する。図１に示すように、本発明の第１実施形態による玩具銃のリコイル伝達構造の玩具銃１００は、ケース１の内部空間に伝動ユニット２、引き金ユニット３、弾丸押し出しユニット４、ピストン５、ピストンスプリング５１などの部材を主に有する。
【００１４】
ケース１の後端のピストン５のピストン筒５２中で行う往復運動の移動軸線Ｉ上には、リコイル伝達構造６が接続されている。リコイル伝達構造６は、ウエイト６１、案内ロッド６２及びリコイルスプリング６３を有する。リコイルスプリング６３は、ウエイト６１と後壁１１との間に配置されている。後壁１１は、ケース１の肩当て部１２内に位置する。案内ロッド６２は、ケース１のストッパ１３に貫設され、ピストン５とウエイト６１との間に介在する。
【００１５】
ピストン５の運動エネルギは、リコイル伝達構造６によりウエイト６１に伝達され、さらに肩当て部１２に伝達され、ユーザにリコイルの振動感を感じさせる。
【００１６】
本発明において、案内ロッド６２は、伸縮案内ロッドの構造を採用し、ウエイト６１に接続せず分離している。伸縮案内ロッド６２の構造は、緩衝ロッド６２１、緩衝ロッドスプリング６２２及び伝動ロッド６２３を有する。緩衝ロッド６２１は、伝動ロッド６２３の中空部６２４内に摺動可能に接続されている。第１実施形態では、緩衝ロッドスプリング６２２は、伝動ロッド６２３の中空部６２４内に収納されている。緩衝ロッド６２１の一端が伝動ロッド６２３の中空部６２４内に延伸し、緩衝ロッドスプリング６２２の一端に当接することで、緩衝ロッド６２１は、弾力を有する。緩衝ロッド６２１及び緩衝ロッドスプリング６２２が生み出す応力により、ピストン５とウエイト６１との間に介在する伝動ロッド６２３をいつでも最適な箇所に位置させ、ピストン５の運動エネルギがウエイト６１に伝達されることで、リコイルの振動感を実現させたり内部部品を保護したりする。
【００１７】
（第２実施形態）
本発明のリコイル伝達構造の主旨に基づいて、本発明は、異なる形態の等価構造を設計することができる。図５を参照する。図５に示すように、本発明の第２実施形態によるリコイル伝達構造６ａは、案内ロッド６３１、第１のウエイト６３２、第２のウエイト６３３、バランススプリング６３４及び重錘スプリング６３５を有する。第２のウエイト６３３には、戻り止め６３６が設けられている。
【００１８】
（第３実施形態）
図６を参照する。図６に示すように、本発明の第３実施形態によるリコイル伝達構造６ｂは、案内ロッド６４１、ウエイト６４２、バランススプリング６４３及び重錘スプリング６４４を有する。
【００１９】
（第４実施形態）
図７を参照する。図７に示すように、本発明の第４実施形態によるリコイル伝達構造６ｃは、第１のウエイト６５１、バランス案内ロッド６５２、第２のウエイト６５３、重錘スプリング６５４及び連動ロッド６５５を有する。
【００２０】
（第５実施形態）
図８を参照する。図９に示すように、本発明の第５実施形態によるリコイル伝達構造６ｄは、第１のウエイト６６１、第２のウエイト６６２、バランス案内ロッド６６３、重錘スプリング６６４及び連動ロッド６６５を有する。
【００２１】
（第６実施形態）
図９を参照する。図９に示すように、本発明の第６実施形態によるリコイル伝達構造６ｅは、第１のウエイト６７１、バランス案内ロッド６７２、第２のウエイト６７３、重錘スプリング６７４、支持台６７５及び連動ロッド６７６を有する。
【００２２】
当該技術分野の当業者が実施できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２３】
１  ケース
２  伝動ユニット
３  引き金ユニット
４  弾丸押し出しユニット
５  ピストン
６  リコイル伝達構造
６ａ  リコイル伝達構造
６ｂ  リコイル伝達構造
６ｃ  リコイル伝達構造
６ｄ  リコイル伝達構造
６ｅ  リコイル伝達構造
１１  後壁
１２  肩当て部
１３  ストッパ
５１  ピストンスプリング
５２  ピストン筒
６１  ウエイト
６２  案内ロッド
６３  リコイルスプリング
１００  玩具銃
６２１  緩衝ロッド
６２２  緩衝ロッドスプリング
６２３  伝動ロッド
６２４  中空部
６３１  案内ロッド
６３２  第１のウエイト
６３３  第２のウエイト
６３４  バランススプリング
６３５  重錘スプリング
６３６  戻り止め
６４１  案内ロッド
６４２  ウエイト
６４３  バランススプリング
６４４  重錘スプリング
６５１  第１のウエイト
６５２  バランス案内ロッド
６５３  第２のウエイト
６５４  重錘スプリング
６５５  連動ロッド
６６１  第１のウエイト
６６２  第２のウエイト
６６３  バランス案内ロッド
６６４  重錘スプリング
６６５  連動ロッド
６７１  第１のウエイト
６７２  バランス案内ロッド
６７３  第２のウエイト
６７４  重錘スプリング
６７５  支持台
６７６  連動ロッド
Ｉ  移動軸線
【図１】
2012122702.tif 000003
【図２】
2012122702.tif 000004
【図３】
2012122702.tif 000005
【図４】
2012122702.tif 000006
【図５】
2012122702.tif 000007
【図６】
2012122702.tif 000008
【図７】
2012122702.tif 000009
【図８】
2012122702.tif 000010
【図９】
2012122702.tif 000011
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
一軸線上に配置したピストン、ウェイト及びリコイルスプリングを備え、弾丸発射時のピストンの往復動作によって移動するウェイトでもってリコイルショックを得るようにした玩具銃のリコイル伝達構造であって、
中空部を有し、前記ピストンの往復動作と連動する、伝動ロッドと、
前記伝動ロッドの中空部に配置する、緩衝ロッドスプリングと、
前記緩衝ロッドスプリングに一端を当接して前記中空部内を摺動可能であり、他端で前記ウェイトを後退可能な、緩衝ロッドと、
を少なくとも備えたことを特徴とする、玩具銃のリコイル伝達構造。
【手続補正２】
【補正対象書類名】明細書
【補正対象項目名】全文
【補正方法】変更
【補正の内容】
【発明の詳細な説明】
【技術分野】
【０００１】
本発明は、玩具銃構造に関し、特に、玩具銃の内部に配置されるリコイル伝達構造に関する。
【背景技術】
【０００２】
玩具銃（ＢＢ弾とも称する）は、広く人々に愛好されている。従来の玩具銃は、玩具内部に伝動ユニット、引き金ユニット、弾丸押し出しユニットなどの部材が配置され、小さな弾丸を発射する機能しかなく、リアル感及び臨場感に欠ける。メーカは、実銃と同じようなリアル感を追求するために、弾丸が発射される瞬間に反作用力を生成し、リコイルショック（ブロウバックの反動）の効果を生み出すリコイル生成構造を銃内部に配置した。
【０００３】
従来のリコイル生成構造は、一般に、玩具銃のケースの内部空間にピストン、ピストンスプリング、案内ロッド、ウエイト、リコイルスプリングなどの部材が装着されている。リコイルスプリングは、ウエイトと、玩具銃のケースの肩当て部内に位置する後壁との間に配置されている。案内ロッドは、ケースのストッパに貫設され、ピストンとウエイトとの間に介在する。全ての従来のリコイル生成構造では、案内ロッドとウエイトとが実体的に接続され連動する。
【０００４】
従来の玩具銃のリコイル生成構造は、以下（１）〜（３）の問題点を有する。
（１）ピストン及びウエイトの往復動作の連動リズムが一致しない（例えば、ウエイトが前に運動し、ピストンが後ろに運動する）とき、案内ロッドとウエイトとの間の実体的な接続により、ギヤセット及びピストンが損壊される虞がある。
（２）銃撃音の大きさや明快さが足りない。
（３）肩当て部の内部にストッパ板を配置し、前に押し出されるウエイトを止める必要があるが、これにより、部品が損壊される虞がある。また、ストッパ板が配置されるため、ウエイトが最大行程で運動することができない。
【発明の概要】
【発明が解決しようとする課題】
【０００５】
本発明の第１の目的は、従来の問題点を解決する玩具銃のリコイル伝達構造を提供することにある。
本発明の第２の目的は、伸縮案内ロッドを有する玩具銃のリコイル伝達構造を提供することにある。
本発明の第３の目的は、案内ロッド及びウエイトが分離している玩具銃のリコイル伝達構造を提供することにある。
【課題を解決するための手段】
【０００６】
上記課題を解決するために、本願発明は、一軸線上に配置したピストン、ウェイト及びリコイルスプリングを備え、弾丸発射時のピストンの往復動作によって移動するウェイトでもってリコイルショックを得るようにした玩具銃のリコイル伝達構造であって、中空部を有し、前記ピストンの往復動作と連動する、伝動ロッドと、前記伝動ロッドの中空部に配置する、緩衝ロッドスプリングと、前記緩衝ロッドスプリングに一端を当接して前記中空部内を摺動可能であり、他端で前記ウェイトを後退可能な、緩衝ロッドと、を少なくとも備えたことを特徴とする。
【発明の効果】
【０００７】
本発明の玩具銃のリコイル伝達構造は、以下（１）〜（６）の効果を有する。
（１）ピストン及びウエイトの往復動作の連動リズムが一致しないとき、伸縮案内ロッド内の緩衝ロッドスプリングがウエイトから来る運動エネルギの一部を吸収することにより、緩衝ロッドの前端が直接ピストンにぶつかり損壊するのを防ぐことができる。
（２）伸縮案内ロッドとウエイトとは実体的に接続せず分離しているため、リコイルショックの運動エネルギを巧妙に伝達し、伝達されない動作を部分的に吸収することができる。
（３）伸縮案内ロッドがウエイトにぶつかるとき、はっきりした金属衝突音が発生し、極めて好ましいリアル感が生まれる。また、ウエイトが前に移動し、銃身の金属の尾端（即ちケースのストッパ）にぶつかるとき発生する衝突音が大きく明快である。
（４）従来の構造では、肩当て部内に配置されるストッパ板により、前に押し出るウエイトを止める必要があるが、これにより、部品が損壊される虞がある。しかし、本発明は、ストッパ板を配置する必要がなく、構造が簡易である。また、ウエイトは、前に移動するとき、銃身の金属の尾端にぶつかり停止するため、最大行程で運動することができる。
（５）伸縮案内ロッドは、２段以上の部材構造であり、内部に緩衝ロッドスプリングが配置されているため、好ましい緩衝機能を有し、ピストンとウエイトとの間に適度な距離を保つことができる。
（６）従来の構造では、ピストンが逆方向に運動するとき及び後ろ向きに運動するとき、ギヤセット及びピストンが損壊される虞があるが、本発明の伸縮案内ロッドは、緩衝機能を有するため、このような問題が発生しない。
【図面の簡単な説明】
【０００８】
【図１】本発明の第１実施形態によるリコイル伝達構造の玩具銃のピストンが前に移動するときの状態を示す断面図である。
【図２】本発明の第１実施形態によるリコイル伝達構造を玩具銃のピストンが後ろに移動するときの状態を示す断面図である。
【図３】本発明の第１実施形態によるリコイル伝達構造の玩具銃のピストンが前に移動し、弾丸が発射されるときの状態を示す斜視図である。
【図４】本発明の一実施形態によるリコイル伝達構造の伸縮案内ロッドの断面図である。
【図５】本発明の第２実施形態によるリコイル伝達構造を示す断面図である。
【図６】本発明の第３実施形態によるリコイル伝達構造を示す断面図である。
【図７】本発明の第４実施形態によるリコイル伝達構造を示す断面図である。
【図８】本発明の第５実施形態によるリコイル伝達構造を示す断面図である。
【図９】本発明の第６実施形態によるリコイル伝達構造を示す断面図である。
【発明を実施するための形態】
【０００９】
以下、本発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１０】
（第１実施形態）
図１を参照する。図１に示すように、本発明の第１実施形態による玩具銃のリコイル伝達構造の玩具銃１００は、ケース１の内部空間に伝動ユニット２、引き金ユニット３、弾丸押し出しユニット４、ピストン５、ピストンスプリング５１などの部材を主に有する。
【００１１】
ケース１の後端のピストン５のピストン筒５２中で行う往復運動の移動軸線Ｉ上には、リコイル伝達構造６が接続されている。リコイル伝達構造６は、ウエイト６１、案内ロッド６２及びリコイルスプリング６３を有する。リコイルスプリング６３は、ウエイト６１と後壁１１との間に配置されている。後壁１１は、ケース１の肩当て部１２内に位置する。案内ロッド６２は、ケース１のストッパ１３に貫設され、ピストン５とウエイト６１との間に介在する。
【００１２】
ピストン５の運動エネルギは、リコイル伝達構造６によりウエイト６１に伝達され、さらに肩当て部１２に伝達され、ユーザにリコイルの振動感を感じさせる。
【００１３】
本発明において、案内ロッド６２は、伸縮案内ロッドの構造を採用し、ウエイト６１に接続せず分離している。伸縮案内ロッド６２の構造は、緩衝ロッド６２１、緩衝ロッドスプリング６２２及び伝動ロッド６２３を有する。緩衝ロッド６２１は、伝動ロッド６２３の中空部６２４内に摺動可能に接続されている。第１実施形態では、緩衝ロッドスプリング６２２は、伝動ロッド６２３の中空部６２４内に収納されている。緩衝ロッド６２１の一端が伝動ロッド６２３の中空部６２４内に延伸し、緩衝ロッドスプリング６２２の一端に当接することで、緩衝ロッド６２１は、弾力を有する。緩衝ロッド６２１及び緩衝ロッドスプリング６２２が生み出す応力により、ピストン５とウエイト６１との間に介在する伝動ロッド６２３をいつでも最適な箇所に位置させ、ピストン５の運動エネルギがウエイト６１に伝達されることで、リコイルの振動感を実現させたり内部部品を保護したりする。
【００１４】
（第２実施形態）
本発明のリコイル伝達構造の主旨に基づいて、本発明は、異なる形態の等価構造を設計することができる。図５を参照する。図５に示すように、本発明の第２実施形態によるリコイル伝達構造６ａは、案内ロッド６３１、第１のウエイト６３２、第２のウエイト６３３、バランススプリング６３４及び重錘スプリング６３５を有する。第２のウエイト６３３には、戻り止め６３６が設けられている。
【００１５】
（第３実施形態）
図６を参照する。図６に示すように、本発明の第３実施形態によるリコイル伝達構造６ｂは、案内ロッド６４１、ウエイト６４２、バランススプリング６４３及び重錘スプリング６４４を有する。
【００１６】
（第４実施形態）
図７を参照する。図７に示すように、本発明の第４実施形態によるリコイル伝達構造６ｃは、第１のウエイト６５１、バランス案内ロッド６５２、第２のウエイト６５３、重錘スプリング６５４及び連動ロッド６５５を有する。
【００１７】
（第５実施形態）
図８を参照する。図９に示すように、本発明の第５実施形態によるリコイル伝達構造６ｄは、第１のウエイト６６１、第２のウエイト６６２、バランス案内ロッド６６３、重錘スプリング６６４及び連動ロッド６６５を有する。
【００１８】
（第６実施形態）
図９を参照する。図９に示すように、本発明の第６実施形態によるリコイル伝達構造６ｅは、第１のウエイト６７１、バランス案内ロッド６７２、第２のウエイト６７３、重錘スプリング６７４、支持台６７５及び連動ロッド６７６を有する。
【００１９】
当該技術分野の当業者が実施できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２０】
１  ケース
２  伝動ユニット
３  引き金ユニット
４  弾丸押し出しユニット
５  ピストン
６  リコイル伝達構造
６ａ  リコイル伝達構造
６ｂ  リコイル伝達構造
６ｃ  リコイル伝達構造
６ｄ  リコイル伝達構造
６ｅ  リコイル伝達構造
１１  後壁
１２  肩当て部
１３  ストッパ
５１  ピストンスプリング
５２  ピストン筒
６１  ウエイト
６２  案内ロッド
６３  リコイルスプリング
１００  玩具銃
６２１  緩衝ロッド
６２２  緩衝ロッドスプリング
６２３  伝動ロッド
６２４  中空部
６３１  案内ロッド
６３２  第１のウエイト
６３３  第２のウエイト
６３４  バランススプリング
６３５  重錘スプリング
６３６  戻り止め
６４１  案内ロッド
６４２  ウエイト
６４３  バランススプリング
６４４  重錘スプリング
６５１  第１のウエイト
６５２  バランス案内ロッド
６５３  第２のウエイト
６５４  重錘スプリング
６５５  連動ロッド
６６１  第１のウエイト
６６２  第２のウエイト
６６３  バランス案内ロッド
６６４  重錘スプリング
６６５  連動ロッド
６７１  第１のウエイト
６７２  バランス案内ロッド
６７３  第２のウエイト
６７４  重錘スプリング
６７５  支持台
６７６  連動ロッド
Ｉ  移動軸線